(57)【特許請求の範囲】
【請求項１】
嵌合方向及び該嵌合方向とは逆方向である離脱方向で嵌合・離脱可能なコネクタと相手側コネクタとを有し、該コネクタは、導電性のコンタクトと、該コンタクトを保持したインシュレータとを有し、前記相手側コネクタは、前記コンタクトに接触する導電性の相手コンタクトと、該相手コンタクトを保持した相手インシュレータとを有しているコネクタ装置において、
前記コンタクトは、前記嵌合・離脱方向へ延びている第１接触部と、該第１接触部に対向している第２接触部と、前記第１及び第２接触部の前記嵌合方向における端部間を相互に接続した第１連結部と、前記第２接触部に対向している保持部と、前記第２接触部及び前記保持部の前記離脱方向における端部間を相互に接続した第２連結部とを有し、
前記相手コンタクトは、前記嵌合・離脱方向へ延びている第１相手接触部と、該第１相手接触部に対向している第２相手接触部と、前記第１及び第２相手接触部の前記嵌合方向における端部間を相互に接続した相手連結部とを有し、
前記インシュレータは、前記第２接触部及び前記保持部間に位置して前記嵌合・離脱方向へ延びている保持壁を有し、前記第２接触部と前記保持部とは、前記第２接触部と前記保持部とによって前記保持壁を挟み込むように前記保持壁を保持しており、
さらに、前記コンタクト及び前記相手コンタクトは、前記コネクタ及び前記相手側コネクタが嵌合した状態で前記第１及び第２接触部間に前記第１及び第２相手接触部が位置したときに弾性力をもって互いに接触する前記第１接触部と前記第１相手接触部との接触部位、前記第２接触部と前記第２相手接触部との接触部位の少なくともいずれか一方の前記接触部位に、前記離脱方向への移動を阻止するよう相互に係合してロックするロック手段を有し、
前記コネクタと前記相手コネクタとが未嵌合状態であるときに、前記第１及び第２接触部間の幅寸法が該幅寸法と同方向における前記第１及び第２相手接触部間における幅寸法よりも狭い幅寸法に設定されていることを特徴とするコネクタ装置。
【請求項２】
請求項１記載のコネクタ装置において、前記ロック手段は、前記第２接触部の前記離脱方向側の端部で前記第１接触部へ曲げられて突出している係合接点部と、前記嵌合状態で前記係合接点部に係合してロックし前記離脱方向への引き抜きを阻止するよう前記第２相手接触部に形成した相手係合部とを有していることを特徴とするコネクタ装置。
【請求項３】
請求項２記載のコネクタ装置において、前記係合接点部に対向する前記第２相手接触部の対向面には、前記嵌合状態で、前記係合接点部に接触する相手接触面を有し、該相手接触面の板厚寸法が前記第２相手接触部の板厚寸法よりも小さい板厚寸法に形成されているものであり、前記相手係合部が前記相手接触面と前記対向面との境界に位置していることを特徴とするコネクタ装置。
【請求項４】
請求項１記載のコネクタ装置において、前記ロック手段は、前記第１接触部の前記離脱方向における端部で前記第２接触部側へ湾曲して突出するよう形成した接点部と、前記嵌合状態で前記接点部に係合してロックし前記離脱方向への引き抜きを阻止するよう前記第１相手接触部に形成した相手係合部とを有していることを特徴とするコネクタ装置。
【請求項５】
請求項４記載のコネクタ装置において、前記接点部に対向する前記第１相手接触部の対向面には、前記嵌合状態で、前記接点部に接触する相手接触面を有し、該相手接触面の板厚寸法が前記第１相手接触部の板厚寸法よりも小さい板厚寸法に形成されているものであり、前記相手係合部が前記相手接触面と前記対向面との境界に位置していることを特徴とするコネクタ装置。
【請求項６】
請求項５記載のコネクタ装置において、前記第１相手接触部の前記離脱方向側の端部には、前記相手インシュレータに圧入される第１相手圧入部が形成されており、前記第２相手接触部には、前記離脱方向側の端部に前記相手インシュレータに圧入されて保持されている第２相手圧入部が形成されていることを特徴とするコネクタ装置。
【請求項７】
請求項１記載のコネクタ装置において、前記インシュレータは前記第１及び第２接触部を収容した嵌合部を有し、前記保持壁は前記嵌合部の一部を構成しており、前記第２接触部が対向している前記保持壁の第１壁面に前記第２接触部の少なくとも一部が、前記保持部に対向している前記保持壁の第２壁面の方向へ弾性力をもって当接していることを特徴とするコネクタ装置。
【請求項８】
請求項１記載のコネクタ装置において、前記相手インシュレータは、前記第１及び第２相手接触部を組み付けた相手嵌合部を有し、該相手嵌合部の一部を構成している相手保持壁が前記第１及び第２相手接触部間に位置して前記嵌合・離脱方向へ延びており、前記相手保持壁は、前記第１相手接触部が対向している第１相手壁面と、前記第２相手接触部が対向している第２相手壁面とを有していることを特徴とするコネクタ装置。
【請求項９】
請求項８記載のコネクタ装置において、前記第１相手接触部の前記離脱方向端に相手端子部が接続されていることを特徴とするコネクタ装置。
【請求項１０】
請求項９記載のコネクタ装置において、前記相手端子部には、前記相手インシュレータに圧入して前記相手コンタクトを保持する相手圧入部が形成されていることを特徴とするコネクタ装置。
【請求項１１】
請求項９又は１０記載のコネクタ装置において、前記第２相手接触部は、前記第２相手壁面に対して前記相手連結部側から前記第２相手壁面に対して離れる向きに弾性力をもって対向していることを特徴とするコネクタ装置。
【発明の詳細な説明】
【０００１】
【発明の属する技術分野】
本発明は、嵌合・離脱可能としたコネクタと相手側コネクタとの嵌合時における離脱方向の移動を阻止するロック手段を備えているコネクタ装置に属する。
【０００２】
【従来の技術】
従来のコネクタ装置としては、特開平９−２５９９７９号公報に開示されているよな、プリント回路基板１０１とプリント回路基板１０２との接続に用いるように構成したものがある。
【０００３】
このコネクタ装置では、コネクタ１０４のハウジング１０６に形成した嵌合部１０８と、コネクタ１０５のハウジング１１８の枠部１２１が互いに嵌合し、コネクタ１０４側のターミナル１０７のコンタクト片１１３に形成したコンタクト部１１４と、コネクタ１０５側のターミナル１１９のコンタクト片１２２が互いに係合して、電気的に導通し、プリント回路基板１０１，１０２の接続が図られる。
【０００４】
また、ターミナル１０７には、ロック爪１２６が設けてあり、ハウジング１１８にロック爪１２６と対応させて係止突部１３５が互いに係合してロックするようにしている。
【０００５】
【発明が解決しようとする課題】
しかしながら、従来のコネクタ装置では、コンタクト片１２２とコンタクト部１１４との一点で接触しているので、信頼性に劣るという問題がある。
【０００６】
また、ターミナル１０７とハウジング１０６にロック手段を形成しなければならないので、嵌合・離脱操作を繰り返したときに、ロック力が低下してしまうという問題がある。
【０００７】
それ故に本発明の課題は、信頼性が高く、ロック力を高く設定でき、少ない配列のコンタクト及び相手コンタクトの組合わせであっても嵌合が容易に外れないコネクタ装置を提供することにある。
【０００８】
また、本発明の課題は、嵌合・離脱を繰り返してもロック力の低下を抑えることができるコネクタ装置を提供することにある。
【０００９】
また、本発明の課題は、小型化が可能となるコネクタ装置を提供することにある。
【００１０】
また、本発明の課題は、接触が安定するコネクタ装置を提供することにある。
【００１１】
また、本発明の課題は、インシュレータへのコンタクトの保持力が向上することができるコネクタ装置を提供することにある。
【００１２】
【課題を解決するための手段】
本発明によれば、嵌合方向及び該嵌合方向とは逆方向である離脱方向で嵌合・離脱可能なコネクタと相手側コネクタとを有し、該コネクタは、導電性のコンタクトと、該コンタクトを保持したインシュレータとを有し、前記相手側コネクタは、前記コンタクトに接触する導電性の相手コンタクトと、該相手コンタクトを保持した相手インシュレータとを有しているコネクタ装置において、前記コンタクトは、前記嵌合・離脱方向へ延びている第１接触部と、該第１接触部に対向している第２接触部と、前記第１及び第２接触部の前記嵌合方向における端部間を相互に接続した第１連結部と、前記第２接触部に対向している保持部と、前記第２接触部及び前記保持部の前記離脱方向における端部間を相互に接続した第２連結部とを有し、前記相手コンタクトは、前記嵌合・離脱方向へ延びている第１相手接触部と、該第１相手接触部に対向している第２相手接触部と、前記第１及び第２相手接触部の前記嵌合方向における端部間を相互に接続した相手連結部とを有し、前記インシュレータは、前記第２接触部及び前記保持部間に位置して前記嵌合・離脱方向へ延びている保持壁を有し、前記第２接触部と前記保持部とは、前記第２接触部と前記保持部とによって前記保持壁を挟み込むように前記保持壁を保持しており、さらに、前記コンタクト及び前記相手コンタクトは、前記コネクタ及び前記相手側コネクタが嵌合した状態で前記第１及び第２接触部間に前記第１及び第２相手接触部が位置したときに弾性力をもって互いに接触する前記第１接触部と前記第１相手接触部との接触部位、前記第２接触部と前記第２相手接触部との接触部位の少なくともいずれか一方の前記接触部位に、前記離脱方向への移動を阻止するよう相互に係合してロックするロック手段を有し、前記コネクタと前記相手コネクタとが未嵌合状態であるときに、前記第１及び第２接触部間の幅寸法が該幅寸法と同方向における前記第１及び第２相手接触部間における幅寸法よりも狭い幅寸法に設定されていることを特徴とするコネクタ装置が得られる。
【００１３】
【作用】
本発明に係るコネクタ装置によると、コネクタと相手側コネクタとを未嵌合状態から嵌合するときには、第１及び第２接触部間における幅寸法が第１及び第２相手接触部間の幅寸法の幅寸法よりも狭い幅寸法に設定されているので、第１接触部の接点部に相手コンタクトの第１相手接触部が摺接しながら移動し、係合接点部に第２相手接触部に摺接しながら移動する。さらに、相手側コネクタを嵌合方向へ移動させると、相手係合部に係合接点部が達した後、相手接触面が係合接点部と接触し嵌合状態となり嵌合操作が完了する。
【００１４】
コネクタと相手側コネクタとが嵌合した後の嵌合状態では、係合接点部と相手係合部とが離脱方向で係合するので相手側コネクタの離脱方向への移動が阻止される。このとき、接点部と係合接点部との間で第１相手接触部と第２相手接触部とを弾性力をもって挟み込んでおり、相手係合部と係合接点部が離脱方向で係合するので、相手側コネクタがコネクタから容易に引き抜きできないようにロックすることができる。特に、コンタクト及び相手コンタクトの数が多いほど弾性力が強力なものとなり、相手側コネクタがコネクタから簡単には引き抜きできないようになる。
【００１５】
また、第２相手接触部の相手接触面には、最終の嵌合状態で係合接点部に接触するようにしているので、第１及び第２接触部が弾性変形方向に少し位置ずれして第２接触部の係合接点部に相手接触面が接触し、最終接続状態では、弾性変形量が少なくなるように作用する。
【００１６】
【発明の実施の形態】
以下に、本発明に係るコネクタ装置を図面に基づき説明する。図１は、本発明におけるコネクタ装置の一実施の形態例を示している。
【００１７】
図１を参照して、コネクタ装置は、コネクタ１１と、嵌合方向Ａ及び嵌合方向Ａとは逆方向である離脱方向Ｂでコネクタ１１に嵌合・離脱可能な相手側コネクタ３１とを有している。なお、この実施の形態例におけるコネクタ１１は、レセプタクル側コネクタとして、プリント回路基板５１に実装されるものである。相手側コネクタ３１は、プラグ側コネクタとして、もう一つのプリント回路基板６１に実装されるものである。
【００１８】
図２及び図３は、図１に示したコネクタ１１を示している。図１、図２及び図３を参照して、コネクタ１１は、導電性のコンタクト１３と、コンタクト１３を保持している箱形状のインシュレータ２１とを有している。
【００１９】
コンタクト１３は、嵌合・離脱方向Ａ，Ｂへ長い寸法で延びている第１接触部１４と、第１接触部１４に対向して嵌合・離脱方向Ａ，Ｂへ長い寸法で延びている第２接触部１５と、第１及び第２接触部１４，１５の嵌合方向Ａにおける端部間を相互に接続している第１連結部１６と、第２接触部１５に対向して嵌合・離脱方向Ａ，Ｂへ長い寸法で延びている長板形状の保持部１７と、第２接触部１５及び保持部１７の離脱方向Ｂにおける端部間を相互に接続した第２連結部１８と、第２連結部１８の嵌合方向Ａにおける端部から延びている端子部１９とを有している。第１接触部１４の離脱方向Ｂにおける端部には、第２接触部１５側へ湾曲して突出している接点部１４ａを有している。
【００２０】
コンタクト１３は、一例として板厚寸法が薄い導電板を打ち抜き加工して形成した帯板形状の導電板を略Ｓ字形状に曲げ加工を施すことによって全体としてバネ性を有するものを作ることができる。
【００２１】
したがって、第１接触部１４、第２接触部１５及び第１連結部１６は、これらで略Ｕ字形状を呈している。第２接触部１５、保持部１７及び第２連結部１８は、これらによって略逆Ｕ字形状を呈している。また、端子部１９は、プリント回路基板５１の実装面に対して平行になるようにインシュレータ２１の外へ延びており、コネクタ１１を前述したプリント回路基板５１へ実装し、このプリント回路基板５１の回路に半田によって接続される。
【００２２】
インシュレータ２１には、複数のコンタクト１３が一列が互いに並行に所定間隔をもって配置され、これら一列に配置された複数のコンタクト１３に対向するように複数のコンタクト１３がもう一列が互いに並行に所定間隔をもって配置されている。
【００２３】
したがって、コネクタ１１では、２列に複数のコンタクト１３が整列されて配置された状態で、図１に示した嵌合・離脱方向Ａ，Ｂを示す二点鎖線を中心線とすると、二列に配置されたコンタクト１３が対称に配置されている。
【００２４】
インシュレータ２１は、図１に示した嵌合・離脱方向Ａ，Ｂを示した二点鎖線の中心線を含む中央壁部２２と、中央壁部２２を共通な壁として左右に嵌合部２３を形成するように、中央壁部２２に対向している一対の保持壁２４とを有している。
【００２５】
一対の嵌合部２３のそれぞれには、複数のコンタクト１３の第１及び第２接触部１４，１５が収容されている。保持壁２４は、第２接触部１５の及び保持部１７間に位置して嵌合・離脱方向Ａ，Ｂへ長い寸法で延びている。第２接触部１５が対向している保持壁２４の第１壁面２４ａには、第２接触部１５の一部が弾性力をもって当接している。すなわち、第２接触部１５の一部は、保持部１７に対向している保持壁２４の第２壁面２４ｂの方向へ弾性力をもって当接している。第２接触部１５と保持部１７とは、第２接触部１５と保持部１７とによって保持壁２４を挟み込むように保持壁２４を保持している。
【００２６】
保持壁２４の第１及び第２壁面２４ａ，２４ｂには、嵌合・離脱方向Ａ，Ｂへ溝部２４ｃ，２４ｄが形成されている。第１壁面２４ａの溝部２４ｃには、第１接触部１４が組み込まれている。第２壁面２４ｂの溝部２４ｄには、保持部１７が組み込まれている。保持部１７は、インシュレータ２１に保持する圧入部１７ａを有している。圧入部１７ａは、第２壁面２４ｂの溝部２４ｄにおいてインシュレータ２１へ圧入されることによって保持部１７がインシュレータ２１に保持されている。
【００２７】
図４及び図５は、図１に示した相手側コネクタ３１を示している。図１、図４及び図５を参照して、相手側コネクタ３１は、導電性の相手コンタクト３３と、相手コンタクト３３を保持した相手インシュレータ４１とを有している。
【００２８】
相手コンタクト３３は、嵌合・離脱方向Ａ，Ｂへ長い寸法で延びている第１相手接触部３４と、第１相手接触部３４に対向して嵌合・離脱方向Ａ，Ｂへ長い寸法で延びている第２相手接触部３５と、第１及び第２相手接触部３４，３５の嵌合方向Ａにおける端部間を相互に接続した相手連結部３６と、第１相手接触部３４の離脱方向Ｂにおける端部に接続して延びている相手端子部３８とを有している。
【００２９】
相手コンタクト３３は、一例として板厚寸法が薄い導電板を打ち抜き加工して形成した帯板形状の導電板を曲げ加工を施すことによって作ることができる。第１相手接触部３４、第２相手接触部３５及び相手連結部３６は、これらで略Ｕ字形状を呈している。また、相手端子部３８は、もう一方のプリント回路基板６１の実装面に対して平行となるように相手インシュレータ４１の外へ延びており、相手側コネクタ３１を前述したもう一方のプリント回路基板６１へ実装し、このプリント回路基板６１の回路に半田によって接続される。
【００３０】
相手インシュレータ４１には、複数の相手コンタクト３３の一列が互いに並行に所定間隔をもって配置され、これら一列に配置された複数の相手コンタクト３３に対向するように複数の相手コンタクト３３がもう一列が互いに並行に所定間隔をもって配置されている。
【００３１】
したがって、相手側コネクタ３１では、２列に複数の相手コンタクト３３が整列されて配置された状態で、図１に示した嵌合・離脱方向Ａ，Ｂを示す二点鎖線を中心線とすると、二列に整列して配置されたコンタクト１３が対称に配置されている。
【００３２】
相手インシュレータ４１は、第１及び第２相手接触部３４，３５を組み付けた相手嵌合部４３を有している。相手嵌合部４３の一部を構成するように対向している一対の相手保持壁４４は、第１及び第２相手接触部３４，３５間に位置して嵌合・離脱方向Ａ，Ｂへ長い寸法で延びている。相手保持壁４４は、第１相手接触部３４が対向している第１相手壁面４４ａと、第２相手接触部３５が対向している第２相手壁面４４ｂとを有している。第１及び第２相手接触部３４，３５は、第１及び第２相手接触部３４，３５間で相手保持壁４４を挟み込むようにして相手保持壁を保持している。相手端子部３８には、相手インシュレータ４１に圧入することによって相手インシュレータ４１に保持する相手圧入部３３ａを有している。
【００３３】
この実施の形態例におけるコネクタ装置では、図１に示したように、コネクタ１１の嵌合部２３と相手コネクタ３１の相手嵌合部４３とが未嵌合状態にあるときに、第１及び第２接触部１４，１５間における幅寸法が第１及び第２相手接触部３４，３５間の幅寸法の幅寸法よりも狭い幅寸法に設定されている。コネクタ１１の嵌合部２３と相手コネクタ３１の相手嵌合部４３とが嵌合状態にあるときには、第１及び第２接触部１４，１５間で第１及び第２接触部１４，１５の弾性力（バネ力）によって第１及び第２相手接触部３４，３５が狭持されて接触するものである。
【００３４】
さらに、第１の接触部１４に接触する第１及び第２相手接触部３４、第２の接触部１５に接触する第２相手接触部３５との接触部位（互いに接触する部分）には、コネクタ１１の嵌合部２３と相手コネクタ３１の相手嵌合部４３とが嵌合状態にあるときに、離脱方向Ｂへの引き抜きを阻止するよう相互に係合してロックするロック手段を有している。
【００３５】
ロック手段は、第２接触部１５に形成されている係合接点部１５ａと、第２相手接触部３５に形成されている相手係合部３５ｂとによって構成されている。ロック手段を具体的に説明すると、第２接触部１５の離脱方向Ｂ側の端部には、第１接触部１４へ曲げられて突出している係合接点部１５ａを有している。
【００３６】
係合接点部１５ａに対向する第２相手接触部３５の対向面には、嵌合時に、係合接点部１５ａに接触する相手接触面３５ａを有している。相手接触面３５ａは、離脱方向Ｂ側が第２相手接触部３５の板厚寸法よりも小さい板厚寸法に形成されているものである。
【００３７】
したがって、第２相手接触部３５の対向面には、相手接触面３５ａを形成することによって段差をもった相手係合部３５ｂが形成されている。係合接点部１５ａと相手係合部３５ｂとは、離脱方向Ｂでこれらが係合することによって離脱方向Ｂへの移動が阻止されている。
【００３８】
以下に、コネクタ１１と相手側コネクタ３１とを未嵌合状態から嵌合する過程について、図６及び図７を参照して説明する。
【００３９】
図１に示したコネクタ１１の嵌合部２３と相手側コネクタ３１の相手嵌合部４３とを未嵌合状態から嵌合するには、相手側コネクタ３１の相手嵌合部４３をコネクタ１１の嵌合部２３を対向させて、相手側コネクタ３１を図６に示すように、嵌合方向Ａへ移動させる。このとき、第１及び第２接触部１４，１５間における幅寸法が第１及び第２相手接触部３４，３５間の幅寸法の幅寸法よりも狭い幅寸法に設定されているので、第１接触部１４の接点部１４ａに相手コンタクト３３の第１相手接触部３４が摺接しながら移動し、係合接点部１５ａに第２相手接触部３５が摺接しながら移動する。さらに、相手側コネクタ３１を嵌合方向Ａへ移動させると、図７に示すように、第1連結部１６へ相手連結部３６が近づき、相手係合部３５ｂが係合接点部１５ａへ達した後、相手接触面３５ａが係合接点部１５ａに接触し嵌合状態となり嵌合操作が完了する。
【００４０】
コネクタ１１の嵌合部２３と相手側コネクタ３１の相手嵌合部４３とが嵌合した後の嵌合状態では、係合接点部１５ａと相手係合部３５ｂとが離脱方向Ｂで係合するので、相手側コネクタ３１の離脱方向Ｂへの移動が阻止される。このとき、接点部１４ａと係合接点部１５ａとの間で第１相手接触部３４と第２相手接触部３５とを弾性力をもって挟み込んでいるので、相手側コネクタ３１がコネクタ１１から容易に引き抜きできないようにロック力をもってロックすることができる。特に、コンタクト１３及び相手コンタクト３３の数が多いほど弾性力が強力なものとなり、相手側コネクタ３１がコネクタ１１から簡単には引き抜きできないようになる。
【００４１】
また、第２相手接触部３５の相手接触面３５ａには、最終の嵌合状態で係合接点部１５ａに接触するようにしているので、第１及び第２接触部１４，１５が弾性変形方向に少し位置ずれして第２接触部１５の係合接点部１５ａに相手接触面３５ａが接触するので、最終接続状態では、弾性変形量が少なくなるように作用する。
【００４２】
図８は、図１、図４及び図５に示した相手側コネクタ３１における変形例を示している。なお、図８に示した相手側コネクタ３１と、図１、図４及び図５に示した相手側コネクタ３１との相違する部分は、第２接触部３５のみであるため、同じ符号を付して変形部分のみについて説明する。
【００４３】
図８を参照して、第２相手接触部３５は、相手連結部３６側から第２相手壁面４４ｂに対して離れる向きに延びて弾性力をもって対向している。このような第２相手接触部３５によれば、コネクタ１１の嵌合部２３と相手コネクタ３１の相手嵌合部４３とが嵌合状態にあるときに、第１及び第２接触部１４，１５間で第１及び第２接触部１４，１５の弾性力によって第１及び第２相手接触部３４，３５が強い弾性力によって狭持され接触するので、相手側コネクタ３１がコネクタ１１から容易に引き抜きできないようにすることができる。また、第１及び第２接触部１４，１５間で第１及び第２接触部１４，１５の弾性によって、コンタクト１３の弾性変形と協動するので、部品寸法のばらつきに対して、安定した接続特性にすることができる。
【００４４】
図９は、図１、図４及び図５に示した相手側コネクタ３１におけるさらに別な変形例を示している。なお、図８に示した相手側コネクタ３１と、図１、図４及び図５に示した相手側コネクタ３１との相違する部分についてのみ、符号を異なるようにして変形部分を説明する。
【００４５】
図９を参照して、第２相手接触部３５の離脱方向Ｂ側の端部には、相手インシュレータ４１に圧入される第１相手圧入部３３ｃが形成されている。第２相手接触部３５には、離脱方向Ｂ側の端部が相手インシュレータ４１に圧入されて相手コンタクト３３を保持する第２相手圧入部３３ｄが形成されている。嵌合状態で接点部１４ａに対向して接触する第１相手接触部３４の対向面には、接点部１４ａに接触する相手接触面３４ａを有している。
【００４６】
相手接触面３４ａは、離脱方向Ｂ側が第１相手接触部３４の板厚寸法よりも小さい板厚寸法に形成されている。相手接触面３４ａと第１相手接触部３４の対向面との境界には、相手係合部３４ｂが形成されている。
【００４７】
このような第１相手接触部３４によれば、コネクタ１１の嵌合部２３と相手コネクタ３１の相手嵌合部４３とが嵌合状態にあるときに、第１及び第２接触部１４，１５間で第１及び第２接触部１４，１５の弾性力によって第１及び第２相手接触部３４，３５が強い弾性力によって狭持されて接触し、接点部１４ａが相手係合部３４ｂに係合するので、相手側コネクタ３１がコネクタ１１から容易に引き抜きできないようにすることができる。
【００４８】
【発明の効果】
以上説明したように、本発明に係るコネクタ装置によれば、コンタクトと相手コンタクトとが二点で接触し、コンタクトと相手コンタクトとにロック手段をもっているので、信頼性が高く、ロック力を高く設定でき、少ない配列のコンタクト及び相手コンタクトの組合わせであっても嵌合が外れにくくなる。
【００４９】
また、コンタクトと相手コンタクトにロック手段を構成しているので、嵌合・離脱を繰り返してもロック力の低下を抑えることができる。
【００５０】
また、第１及び第２接触部は、弾性変形可能なので、安定した接続特性となり、コネクタ装置の小型化が可能となる。
【００５１】
また、相手コンタクトに弾性をもたせることで、さらにコネクタ装置の小型化が可能となる。
【００５２】
また、コンタクトと相手コンタクトとは、これらを打ち抜き曲げ加工によって作ると、接点部に素材面、打ち抜き断面ではない部分を用いて接触させることができ、接触の安定を図ることができる。
【００５３】
さらに、コンタクトをインシュレータに保持する際には、圧入部以外にコンタクトの曲げ部分でインシュレータの保持壁を狭持するので、インシュレータへのコンタクトの保持力が向上する。
【図面の簡単な説明】
【図１】本発明に係るコネクタ装置の未嵌合状態における一実施の形態例を示す断面図である。
【図２】図１に示したコネクタの側面図である。
【図３】図１に示したコネクタの平面図である。
【図４】図１に示した相手側コネクタの側面図である。
【図５】図１に示した相手側コネクタの平面図である。
【図６】図１に示したコネクタ装置の嵌合途中の状態を示す断面図である。
【図７】図１に示したコネクタ装置の嵌合状態を示す断面図である。
【図８】図１に示した相手側コネクタの変形例を示す断面図である。
【図９】図１に示した相手側コネクタのもう一つ別の変形例を示す断面図である。
【図１０】従来技術におけるコネクタ装置を示した断面図である。
【符号の説明】
１１    コネクタ
１３    コンタクト
１４    第１接触部
１４ａ    接点部
１５    第２接触部
１５ａ    係合接点部
１６    第１連結部
１７    保持部
１７ａ    圧入部
１８    第２連結部
１９    端子部
２１    インシュレータ
２３    嵌合部
２４    保持壁
２４ａ    第１壁面
２４ｂ    第２壁面
３１    相手側コネクタ
３３    相手コンタクト
３３ａ    相手圧入部
３３ｃ    第１相手圧入部
３３ｄ    第２相手圧入部
３４    第１相手接触部
３４ａ，３５ａ          相手接触面
３４ｂ，３５ｂ          相手係合部
３５    第２相手接触部
３６    相手連結部
３８    相手端子部
４１    相手インシュレータ
４３    相手嵌合部
４４    相手保持壁
４４ａ    第１相手壁面
４４ｂ    第２相手壁面
【図１】
0003682649.tif 000002
【図２】
0003682649.tif 000003
【図３】
0003682649.tif 000004
【図４】
0003682649.tif 000005
【図５】
0003682649.tif 000006
【図６】
0003682649.tif 000007
【図７】
0003682649.tif 000008
【図８】
0003682649.tif 000009
【図９】
0003682649.tif 000010
【図１０】
0003682649.tif 000011